(57)【要約】【課題】釣銭の処理を簡素化し、安価で効率の良いセルフサービス給油所用の給油装置を提供する。【解決手段】本発明の給油装置（１００）は、挿入された紙幣を読み取る紙幣鑑別手段（１２）と、給油金額（給油代金）と入金された金額との差額を釣銭データとして給油伝票に記録する伝票発行手段（１５）と、釣銭データを記録した給油伝票を読み取る伝票読取手段（１１）とを有している。【選択図】図２
2013168100.tif 000002
【特許請求の範囲】
【請求項１】
挿入された紙幣を読み取る紙幣鑑別手段と、給油金額と入金された金額との差額を釣銭データとして給油伝票に記録する伝票発行手段と、釣銭データを記録した給油伝票を読み取る伝票読取手段とを有することを特徴とする給油装置。
【請求項２】
前記伝票発行手段は、給油金額と入金された金額との差額が存在する場合に、当該差額を給油伝票に記録する機能を有している請求項１の給油装置。
【発明の詳細な説明】
【技術分野】
【０００１】
本発明は、給油所、例えばユーザー（顧客）自身が給油するセルフサービス式の給油所において、給油料金の釣銭処理の効率を向上させるための技術に関する。
【背景技術】
【０００２】
セルフサービス式の給油所では、データ入出力機で給油データを設定する操作、給油機からの給油作業を、ユーザー自身が行なう。
給油に関する作業をユーザー自身が行なうようにしたので、セルフサービス式の給油所では、安い単価で燃料油を供給することが可能となり、多くのユーザーに支持され、急速に普及しつつある。
しかし、給油に関する作業をユーザー自身が行なうために、給油料金の管理、特に釣銭の管理が困難である。
また、釣銭を事務所内で返却するため、給油エリアと事務所との動線上を移動する客の数が多くなり、その分だけ効率が悪い給油所になってしまうという問題も存在する。
【０００３】
従来技術において、釣銭の内、紙幣（例えば、我国では３種類）は給油エリアで返却し、貨幣（硬貨：例えば、我国では６種類）に関するデータをカード状の記憶媒体に記録して、当該記録媒体の記録に基づいて硬貨を事務所内で返却する給油装置が提案されている（特許文献１参照）。
この給油装置は有効であるが、カード状記録媒体を使用する機器（例えば、カード読取装置等）は高価であり、既存の給油装置に高価なカード状記録媒体用の機器を設置することになり、導入コストの高騰を招いてしまうという問題を有している。
また、紙幣返却機は給油所の事務所ではなく給油エリア内に設けられているので、紙幣返却機内に収容される（釣銭となる）紙幣の管理という問題が存在する。例えば、津波のような災害が発生した場合に、給油エリア内の紙幣返却機が流失してしまう。
【先行技術文献】
【特許文献】
【０００４】
【特許文献１】特開平６−２３１３６０号
【発明の概要】
【発明が解決しようとする課題】
【０００５】
本発明は上述した従来技術の問題点に鑑みて提案されたものであり、セルフサービス式の給油所で、釣銭の処理を簡素化し、導入コストが安価であり、効率の良い給油装置を提供することを目的としている。
【課題を解決するための手段】
【０００６】
本発明の給油装置（１００）は、挿入された紙幣を読み取る紙幣鑑別手段（１２）と、給油金額（給油代金）と入金された金額との差額を釣銭データとして給油伝票に記録する伝票発行手段（１５）と、釣銭データを記録した給油伝票を読み取る伝票読取手段（１１）とを有することを特徴としている。
本発明の実施に際して、給油機（５０）と釣銭返却機（８）を有しており、当該給油機（５０）と釣銭返却機（８）とのデータの授受は、ＰＯＳ（７：販売時点管理システム）を介して行われるのが好ましい。
そして給油機（５０）は、紙幣鑑別手段（１２）及び伝票読取手段（１１）で読み取られた金額を合計した設定金額まで給油可能とする機能を有する様に構成されているのが好ましい。
【０００７】
本発明において、前記伝票発行手段（１５）は、給油金額（給油代金）と入金された金額との差額（釣銭）が存在する場合に、当該差額を（釣銭データとして）給油伝票に記録する機能を有しているのが好ましい。
【発明の効果】
【０００８】
上述する構成を具備する本発明によれば、給油伝票に釣銭金額が記録され、給油伝票に記録された釣銭金額を、給油金額の支払いに充当することが可能である。すなわち、釣銭金額が記録された給油伝票が、給油用のカード状記録媒体と同様な機能を奏することが出来る。
そして、ユーザーは、釣銭金額が記録された給油伝票と、紙幣鑑別手段（１２）に新たに挿入された紙幣により、給油料金を支払う（精算する）ことが出来るので、給油時における清算（支払い）が容易である。
【０００９】
ここで、釣銭データとして給油伝票に記録する伝票発行手段（１５）と、伝票を読み取るための伝票読取手段（１１）は、カード状記録媒体を読み込むための機器（例えば、カードへの記録用機器と、カード読取装置）に比較して、遥かに廉価であり、その分だけ、導入コストを抑制することが可能である。
すなわち、本発明によれば、高額なカード状記録媒体用機器を購入する必要がなく、導入コストを抑制することが出来る。
【００１０】
さらに、本発明によれば、入金された金額との差額（釣銭）に関するデータが伝票に記録され、給油時に釣銭（紙幣及び／又は硬貨）を必要としないユーザーは、伝票のみを持参して給油所を出ることが出来る。その場合には、ユーザーは全ての作業を給油エリア（２）で行うことが出来て、給油エリア（２）と事務所（６）との動線を行き来する必要がない。
そのため、給油作業の効率がよくなり、給油エリア（２）と事務所（６）との動線上を移動するユーザーの数を少なくして、給油所全体の効率を向上することができる。
【００１１】
本発明によれば、給油時点で釣銭を必要としないユーザーは、例えば次回の給油時において、給油伝票に記録された釣銭を、給油料金に充当することができる。すなわち、そのようなユーザーは、給油時に、釣銭を受け取って紙幣と貨幣を区別して、それぞれ財布内に収容するという作業を行う必要がなくなり、単に伝票を所定箇所に保存しておけば良い。そのため、ユーザーは釣銭授受に関する煩雑さを解消することが出来る。
特に、重量がある貨幣（硬貨）の返却を好まないユーザーにとっては、伝票のみを保存しておけば良いため、非常に便利である。
【００１２】
これに加えて本発明によれば、釣銭放出手段や、紙幣返却機は給油所の事務所内に設ければ良いので、釣銭放出手段あるいは紙幣返却機の内部に収容される貨幣や紙幣の管理を、多大な労力を必要とすることなく、適正に行うことが出来る。したがって、津波その他の災害時に、事務所内で釣銭放出手段や紙幣返却機を確保することが出来るので、流失の恐れが少なくなる。
【図面の簡単な説明】
【００１３】
【図１】実施形態に係る給油装置の全体を示す正面図である。
【図２】図１の給油装置の制御系を示すブロック図である。
【図３】給油データ入出力機の制御を示すフローチャートである。
【図４】給油機の制御を示すフローチャートである。
【図５】釣銭返却機の制御を示すフローチャートである。
【図６】ＰＯＳの制御を示すフローチャートである。
【発明を実施するための形態】
【００１４】
以下、添付図面を参照して、本発明の実施形態について説明する。
図１において、本発明の実施形態に係る給油装置１００は、全体が符号５０で示す給油機と、事務所６内のＰＯＳ７、釣銭返却機８を備えている。
給油装置１００の制御に係る構成（制御ブロック）を示す図２においても、実施形態に係る給油装置が全体を符号１００で示されている。
図１で示すように、給油所１の給油エリア２に設置されたハウジング３内に給油機５０が設けられている。そして、ハウジング３内にはデータ入出力機４が組み込まれている。
給油所１において、ハウジング３から離隔した箇所に事務所６が設けられており、事務所６内にはＰＯＳ７、釣銭返却機８が設けられている。
【００１５】
図１において、データ入出力機４には、釣銭データを記録した給油伝票を読み取る機能を有する伝票読取手段１１、ユーザー（図示せず）により挿入された紙幣（入金金額）を読み取る機能を有する紙幣鑑別手段１２、給油に関する設定データを入力するタッチパネル式の設定手段１３、設定データを表示するタッチパネル式の設定データ表示器１４、給油伝票を発行する機能を有する伝票発行手段１５が設けられている。
伝票読取手段１１、紙幣鑑別手段１２、設定手段１３、設定データ表示器１４、伝票発行手段１５は、図２で示すように、データ入出力制御手段１６に接続されている。
【００１６】
図２において、データ入出力機４の伝票読取手段１１及び紙幣鑑別手段１２で読み取られた金額に関する設定データは、データ入出力制御手段１６の加算部１７で加算され、設定データ表示器駆動部１８により設定データ表示器１４に表示される。同様に、設定手段１３で設定された油種、給油量等の給油に関する設定データも設定データ表示器駆動部１８を介して設定データ表示器１４に表示される。
設定手段１３で設定された油種、給油量、給油代金として設定する金額（設定金額）等の給油に関する設定データは、入出力装置１９を介して、ＰＯＳ７に伝達される。
【００１７】
給油終了後には、ＰＯＳ７から伝票データが送信される。この伝票データは、入出力装置１９を介してデータ入出力制御手段１６に入力される。
伝票データ内には、釣銭金額の情報（釣銭データ）が包含される場合が存在する。そのような場合には、釣銭データ生成部２０と伝票発行駆動部２１が協働して、釣銭データを記録した給油伝票を伝票発行手段１５から発行する様に構成されている。
データ入出力制御手段１６に入力された伝票データ内に釣銭データが存在しない場合には、釣銭データ生成部２０は作動せず、伝票発行手段１５から、釣銭データが記録されていない給油伝票が発行される。
【００１８】
図１において、給油機５０の配管２２は貯油タンク（図示せず）に接続されている。配管２２には給油ポンプ２３、流量計２４、制御弁２５が介装されている。配管２２は給油ホース２７に接続され、給油ホース２７の先端には給油ノズル２６が設けられている。
図１の状態では、給油ノズル２６はノズル掛け２８に係止されている。ノズル掛け２８にはノズルスイッチ２９が設けられている。
配管２２に介装された流量計２４には、流量信号を発信するパルス発信器３０が設けられている。
図１において、データ入出力機４に隣接して、給油量表示器３１が設けられている。
給油ポンプ２３、制御弁２５、ノズルスイッチ２９、パルス発信器３０、給油量表示器３１は、図２で示すように、給油制御手段３２に接続されている。
【００１９】
図２において、給油機５０の給油制御手段３２は単価記憶部３３及び税率記憶部３５を有し、単価記憶部３３には（例えば油の）単価が記憶されており、税率記憶部３５には税率が記憶されている。
パルス発信器３０から発信された流量パルスは、給油制御手段３２の計数部３５で計数される。計数部３５の計数値と、単価記憶部３３に記憶された単価と、税率記憶部３５に記憶された税率を用いて、給油制御手段３２の演算部３６において、給油データが演算される。演算された給油データは、給油量表示器駆動部３７を介して、給油量表示器３１において表示される。
また、演算部３６で演算された給油データは、入出力装置３８を介して、ＰＯＳ７に送信される。
【００２０】
一方、ＰＯＳ７からは入出力装置３８を介して、設定データが、給油機５０の給油制御手段３２へ送信される。
設定データにおける設定金額に関するデータは、給油制御手段３２の金額記憶部３９に送られて、当該設定金額が金額記憶部３９で記憶される。そして、当該設定金額は比較部４０に送信され、比較部４０において当該設定金額と演算部３６で演算された給油金額とが比較される。
比較部４０において、給油金額が設定金額に等しくなったと判断された場合には、給油金額が設定金額に等しくなった旨の情報信号が、比較部４０から弁開閉駆動部４１を介して制御弁２５に伝達され、制御弁２５が閉鎖される。
図示の実施形態では、給油伝票に記録された釣銭金額と、ユーザーにより挿入された紙幣（新たに挿入された紙幣）の合計金額まで給油することが出来る。ただし、ユーザーが紙幣を投入せず、給油伝票に記録された釣銭金額の分だけ給油が可能である場合が存在する。また、給油伝票に釣銭金額が記録されておらず、新たに挿入された紙幣の（合計）金額だけ給油が可能である場合も存在する。
【００２１】
ノズル掛け２８から給油ノズル２６を外した際にはノズルスイッチ２９がオン信号を発生する。ノズル掛け２８に給油ノズル２６を係止した際には、ノズルスイッチ２９のオン信号が停止する（ノズルスイッチ２９のオフ）。ノズルスイッチ２９が発生したオン信号は、計数部３５と弁開閉駆動部４１とポンプ駆動部４２に伝達される。
計数部３５は、ノズルスイッチ２９からのオン信号を受信すると、計数部３５に計数されている前回給油時における計数値を帰零（リセット）する。
ポンプ駆動部４２は、ノズルスイッチ２９からのオン信号を受信すると、給油ポンプ２３を駆動する。
弁開閉駆動部４１は、ノズルスイッチ２９からのオン信号を受信すると、制御弁２５を開放する。
【００２２】
ノズル掛け２８に給油ノズル２６を掛けた時には、ノズルスイッチ２９のオン信号は停止する（ノズルスイッチ２９がオフ）。
ノズルスイッチ２９がオフである旨を検知すると（ノズルスイッチ２９のオン信号が停止されると）、ポンプ駆動部４２は、給油ポンプ２３の駆動を停止する。
また、ノズルスイッチ２９がオフである旨を検知すると、弁開閉駆動部４１は制御弁２５を閉鎖する。
そして、ノズルスイッチ２９がオフである旨を検知すると、入出力装置３８を介して、給油データがＰＯＳ７へ出力される。
【００２３】
図２で示すように、釣銭返却機８は、ＰＯＳ７と情報信号が授受可能に構成されている。
図２において、釣銭返却機８には、給油伝票に記録された釣銭データを読み取る伝票読取手段４３と、釣銭の貨幣（硬貨）を放出する貨幣放出手段４４と、釣銭の紙幣を返却する紙幣返却手段４９と、釣銭返却制御手段４５が設けられている。釣銭返却制御手段４５は釣銭放出部４８を備えており、伝票読取手段４３と、貨幣放出手段４４と、紙幣返却手段４９に接続されている。
貨幣放出手段４４と紙幣返却手段４９は、釣銭返却制御手段４５の釣銭放出部４８からの信号を受信して作動する。
ここで、釣銭の内、紙幣のみは給油エリア２でユーザーに対して支払い、釣銭における貨幣で支払うべき金額のみを伝票で記録することも可能である。その様な場合には、事務所６内の釣銭返却機８に紙幣返却手段４９を設けずに、紙幣返却手段４９を給油エリア２内、例えばデータ入出力機４に設ける。
【００２４】
図示の実施形態において、ユーザーが釣銭を現金で受領することを希望する場合には、釣銭データを記録した給油伝票を、釣銭返却機８の伝票読取手段４３で読み取らせる。
図２において、伝票読取手段４３で読み取られた釣銭データが、釣銭返却制御手段４５の記憶部４６に送出されて、記憶部４６で記憶される。伝票読取手段４３で読み取られた釣銭データは、入出力装置４７を介してＰＯＳ７に出力される。
ＰＯＳ７では、伝票読取手段４３で読み取られた釣銭データを受信した後、必要な処理を行ない、釣銭をユーザーに支払うべき旨の制御信号と、支払うべき釣銭金額の情報を、釣銭データとして、入出力装置４７を介して釣銭返却機８に送信する。
ＰＯＳ７から送信された当該釣銭データに基づいて釣銭放出部４８が作動し、貨幣放出手段４４及び／又は紙幣返却手段４９に制御信号を送出する。そして、釣銭（貨幣及び／又は紙幣）が貨幣放出手段４４及び／又は紙幣返却手段４９から放出（返却）される。
【００２５】
図２において、ＰＯＳ７はデータ入出力機４から設定データを受信し、設定データを管理して、設定データを給油機５０へ出力する機能を有する様に構成されている。
またＰＯＳ７は、給油機５０より給油データを受信し、給油データを管理して、伝票データをデータ入出力機４へ出力する機能を有する様に構成されている。
さらに、釣銭返却機８から釣銭データを受信し、釣銭データを管理して、釣銭をユーザーに支払うべき旨と釣銭金額を、釣銭データとして釣銭返却機８へ出力する機能を有する様に構成されている。
【００２６】
次に図３〜図６に基づいて、図１、図２をも参照しつつ、図示の実施形態に係る給油装置１の制御について説明する。
ここで、データ入出力機４の制御が図３で示されており、給油機５０の制御が図４で示されており、釣銭返却機８の制御が図５で示されており、ＰＯＳ７の制御が図６で示されている。
【００２７】
図３で示すデータ入出力機４の制御においては、先ず、給油を行うユーザーは、自動車を給油装置１の給油エリア２に停車し、釣銭データが記録された給油伝票がある場合は、この給油伝票をデータ入出力機４の伝票読取手段１１へ挿入する。
そして、伝票読取手段１１により給油伝票を読み取ることにより、釣銭データが記録された給油伝票であるか否か判断される（図３：ステップＳＴ１）。
釣銭データが記録された給油伝票である場合には（ステップＳＴ１がＹＥＳ）、給油伝票に記録されている釣銭額は加算部１７（図２）で加算される。そして設定データ表示器駆動部１８により、給油伝票に記録されている釣銭額が、タッチパネル式の設定データ表示器１４に表示される（図３：ステップＳＴ２）。
給油伝票に釣銭データが記録されていない場合には（ステップＳＴ１がＮＯ）、ステップＳＴ２をバイパスする。
【００２８】
次に、ユーザーが紙幣鑑別手段１２に紙幣が挿入されたか否かを判断する（図３：ステップＳＴ３）。
ユーザーが紙幣鑑別手段１２に紙幣を挿入されると（ステップＳＴ３がＹＥＳ）、紙幣鑑別手段１２により紙幣が鑑別され、挿入された紙幣の相当する金額が加算部１７に加算され、加算部１７の金額が設定データ表示器１４に表示される（図３：ステップＳＴ４）。そして、ステップＳＴ５に進む。
ユーザーが紙幣鑑別手段１２に紙幣を挿入しない場合には（ステップＳＴ３がＮＯ）、ステップＳＴ４をバイパスして、ステップＳＴ５に進む。
【００２９】
図示の実施形態では、給油伝票に記録された釣銭金額（ステップＳＴ２で表示される金額）と、新たに挿入された紙幣（ステップＳＴ３がＹＥＳの場合に挿入された紙幣）の合計金額まで給油することが可能である。
ただし、ユーザーが新たに紙幣を挿入せず、給油伝票に記録された釣銭金額の分だけ給油が可能である場合が存在する。また、給油伝票に釣銭金額が記録されておらず、図３のステップＳＴ３で挿入された紙幣の合計金額だけ給油が可能である場合も存在する。
給油の料金として支払可能な金額が、設定金額として設定データに包含される。
【００３０】
図３のステップＳＴ５では、タッチパネル式の設定手段１３により、給油金額、ユーザーが給油を希望する油種、給油量等の設定データを入力したか否かを判断する。
設定データが入力されない場合には（ステップＳＴ５がＮＯ）、設定されるまで待機する（ステップＳＴ５がＮＯのループ）。
図３では明示されていないが、設定手段１３を操作して設定データが入力される以前の段階、（図３のステップＳＴ５が「ＹＥＳ」の状態となる以前の段階）であれば、ステップＳＴ１に戻って、給油伝票の読取及び／又は紙幣の挿入を再び行って、給油金額の設定をやり直すことも可能である。
ユーザーがタッチパネル式の設定手段１３を用いて、設定データ（給油金額、油種、給油量等）を入力したならば（ステップＳＴ５がＹＥＳ）、設定データ表示器駆動部１８により設定データが設定データ表示器１４に表示されると共に、当該設定データが入出力装置１９を介してＰＯＳ７に出力される（図３：ステップＳＴ６）。そして、図６で示すＰＯＳ７における制御に移行する。
【００３１】
図６におけるＰＯＳ７の制御では、先ず、データ入出力機４から、設定データがＰＯＳ７に出力されたか否かを判断する（図６：ステップＳＴ６１）。
図３のステップＳＴ６で設定データがＰＯＳ７に出力されると、図６のステップＳＴ６１が「ＹＥＳ」の状態となり、ＰＯＳ７において設定データを管理すると共に、設定データを給油機５０の給油制御手段３２へ出力する（図６のステップＳＴ６２）。
図６のステップＳＴ６２で設定データが給油機５０の給油制御手段３２へ出力されると、ＰＯＳ７から送信された当該設定データは、入出力装置３８を介して、給油機５０の給油制御手段３２へ入力される（図４：ステップＳＴ３１がＹＥＳの状態）。
【００３２】
すなわち、図４で示す給油機５０の給油制御手段３２における制御は、先ず、ステップＳＴ３１において、ＰＯＳ７から設定データが送信されたか否かを判断する。
ＰＯＳ７から設定データが送信されていなければ（ステップＳＴ３１がＮＯ）、ＰＯＳ７から設定データが送信されるまで待機する（ステップＳＴ３１がＮＯのループ）。ＰＯＳ７から設定データが送信されると（ステップＳＴ３１がＹＥＳ）、設定データにおける設定金額が金額記憶部３９に記憶され、図４のステップＳＴ３２以降の制御が進行する。
【００３３】
図４のステップＳＴ３２では、ノズルスイッチ２９からオン信号が入力されたか否かを判断する。
ユーザーによりノズル掛け２８から給油ノズル２６が外されて、ノズルスイッチ２９からオン信号が入力された場合には（ステップＳＴ３２がＹＥＳ）、計数部３５に計数されていた前回の給油量の計数値が帰零（リセット）され、弁開閉駆動部４１により制御弁２５が開き、ポンプ駆動部４２により給油ポンプ２３が駆動される（図４：ステップＳＴ３３）。
そして、ユーザーは、給油ノズル２６を自動車の給油口へ挿入して給油を開始する。
【００３４】
給油を開始すると、配管２２内の油は、ポンプ２３、流量計２４、制御弁２５、給油ホース２７を介して、給油ノズル２６から吐出される。
給油ノズル２６から油が吐出されると、流量計２４のパルス発信器３０から流量パルスが計数部３５へ入力される。
図４のステップＳＴ３４では、パルス発信器３０からの流量パルスが計数部３５で計数されているか否かを判断する。
【００３５】
パルス発信器３０からの流量パルスが計数部３５で計数されている場合には（ステップＳＴ３４がＹＥＳ）、計数された流量パルスに基づいて、単価記憶部３３及び税率記憶部３４に記憶されている数値を用いて、演算部３６で給油金額が演算される。そして演算された給油金額は、給油量表示器駆動部３７により給油量表示器３１に表示される（図４：ステップＳＴ３５）。
そして、演算部３６で演算された給油金額は、比較部４０により、金額記憶部３９に記憶されている設定金額と比較される。そして、演算部３６で演算された給油金額が、金額記憶部３９に記憶されている設定金額と同額になったか否かが判断される（図４：ステップＳＴ３６）。
なお、流量パルスが計数部３５で計数されていなければ（ステップＳＴ３４がＮＯ）、ステップＳＴ３５をバイパスして、ステップＳＴ３６に進む。
【００３６】
図４のステップＳＴ３６において、設定金額は設定データに包含されており、例えば、給油伝票に記録された釣銭金額（図３のステップＳＴ２で表示された金額）と、新たに挿入された紙幣（図３のステップＳＴ３で挿入された紙幣）の合計金額（図３のステップＳＴ４で表示された金額）である。
すなわち、図示の実施形態では、給油伝票に記録された釣銭金額と新たに挿入された紙幣の合計金額まで給油することが出来る。
もちろん、給油伝票に記録された釣銭金額が設定金額となる場合も存在するし、図３のステップＳＴ３で挿入された紙幣の合計金額のみが設定金額となる場合も存在する。
【００３７】
ステップＳＴ３６において、演算部３６で演算された給油金額が、金額記憶部３９に記憶されている設定金額に達していなければ（ステップＳＴ３６がＮＯ）、ステップＳＴ３７に進み、ノズルスイッチ２９からのオン信号が停止されているか否か（ノズルスイッチ２９がオフであることを検知したか否か）を判断する（ステップＳＴ３７）。
ノズルスイッチ２９がオフであることを検知しておらず、ノズルスイッチ２９からオン信号が入力され続けていれば（ステップＳＴ３７がＮＯ）、ステップＳＴ３４に戻り、給油を続行する（ステップＳＴ３７がＮＯのループ）。
ステップＳＴ３７がＹＥＳの状態（演算部３６で演算された給油金額が設定金額に達していないが、ノズルスイッチ２９がオフであることが検知されている状態）は、設定金額まで給油される前に給油を停止し、ユーザーによりノズル掛け２８から給油ノズル２６が外された場合である。係る場合には（ステップＳＴ３７がＹＥＳ）、弁開閉駆動部４１は制御弁２５を閉じ、ポンプ駆動部４２は給油ポンプ２３の駆動を停止する（図４：ステップＳＴ３８）。そして、ステップＳＴ３９に進み、給油データをＰＯＳ７へ出力する。
【００３８】
ステップＳＴ３６において、演算部３６で演算された給油金額が、金額記憶部３９に記憶されている設定金額に達していれば、すなわち、設定金額まで給油された場合は（ステップＳＴ３６がＹＥＳ）、弁開閉駆動部４１は制御弁２５を閉じ、ポンプ駆動部４２は給油ポンプ２３の駆動を停止する（図４：ステップＳＴ４０）。
そして、ノズルスイッチ２９がオフである旨を検知したか否か（ノズルスイッチ２９からのオン信号が停止したか否か）を判断する（図４：ステップＳＴ４１）。
ノズルスイッチ２９がオフである旨を検知していない場合には（ステップＳＴ４１がＮＯ）、ノズルスイッチ２９がオフである旨を検知するまで（ノズルスイッチ２９からのオン信号が停止するまで）待機する（ステップＳＴ４１がＮＯのループ）。
ノズルスイッチ２９がオフである旨を検知したならば（ノズルスイッチ２９からのオン信号が停止したならば）（ステップＳＴ４１がＹＥＳ）、設定金額まで給油されて、ユーザーによりノズル掛け２８から給油ノズル２６が外されたと判断して、ステップＳＴ３９に進み、給油データをＰＯＳ７へ出力する。そして、図４で示す給油機５０の給油制御手段３２における制御は終了する（図４：エンド）。
【００３９】
図６におけるＰＯＳ７の制御においては、ステップＳＴ６２で設定データを給油機５０の給油制御手段３２へ出力した後、ステップＳＴ６３に進み、給油制御手段３２から給油データが送信されたか否かを判断する。
給油機５０側から給油データが送信されていない場合（ステップＳＴ６３がＮＯ）には、待機する（ステップＳＴ６３がＮＯのループ）。換言すれば、図６におけるＰＯＳ７の制御では、ステップＳＴ６２で設定データを給油機５０の給油制御手段３２へ出力した後、給油機５０側から給油データが送信されるまで、待機している（ステップＳＴ６３がＮＯのループ）。
図４のステップＳＴ３９で、給油機５０の給油制御手段３２から給油データがＰＯＳに出力されると、図６のステップＳＴ６３はＹＥＳの状態となり、給油データを受けたＰＯＳ７は給油データを管理し、伝票データをデータ入出力機４へ出力する（図６：ステップＳＴ６４）。
【００４０】
ＰＯＳ７からデータ入出力機４へ伝票データが出力されると（図６：ステップＳＴ６４）、当該伝票データは、データ入出力機４の入出力装置１９を介して、伝票発行駆動部２１に送信される。
図３で示すデータ入出力機４の制御では、ステップＳＴ６で設定データをＰＯＳ７に出力した後、ステップＳＴ７に進み、ＰＯＳ７から伝票データが送信されているか否かを判断する。
ステップＳＴ７においてＰＯＳ７から伝票データが送信されていなければ（ステップＳＴ７がＮＯ）、待機する（ステップＳＴ７がＮＯのループ）。すなわち、ステップＳＴ６で設定データをＰＯＳ７に出力した後、ＰＯＳ７から伝票データが送信されるまで、待機する（ステップＳＴ７がＮＯのループ）。
図６のステップＳＴ６４でＰＯＳ７からデータ入出力機４へ伝票データが出力されると、図４のステップＳＴ７はＹＥＳとなり、ステップＳ８に進む。
【００４１】
ＰＯＳ７からデータ入出力機４へ伝票データが出力されると（ステップＳ７がＹＥＳ）、伝票データが伝票発行駆動部２１に送信され、伝票データ内に釣銭金額の情報（釣銭データ）が包含されているか否かを判断する（図３：ステップＳＴ８）。
伝票データ内に釣銭金額の情報（釣銭データ）が包含されている場合は（ステップＳＴ８がＹＥＳ）、釣銭データ生成部２０と伝票発行駆動部２１が協働して、釣銭データを記録した給油伝票を伝票発行手段１５から発行する（図３：ステップＳＴ９）。
一方、伝票データ内に釣銭金額が含まれていない場合は、釣銭データが記録されていない（釣銭データが存在しない）給油伝票が、伝票発行手段１５から発行される（図３：ステップＳＴ１０）。
【００４２】
ユーザーが、釣銭データを記録した給油伝票（ステップＳＴ９）、あるいは、釣銭データが記録されていない給油伝票（ステップＳＴ１０）を受け取って、給油作業を終了する（図３：エンド）。
図３のステップＳＴ１に関連して説明したように、釣銭データが記録された給油伝票は、次回の給油の際に、給油料金の支払いに使用することができる。
【００４３】
釣銭データが記録された給油伝票を受け取ったユーザーが、釣銭を現金で受け取ることを希望する場合は、事務所６（図１参照）内に設けられている釣銭返却機８の伝票読取手段４３（図２参照）に、当該給油伝票を読み込ませる（図５のステップＳＴ５１がＹＥＳ）。
給油伝票の伝票データは、釣銭放出制御手段４５における記憶部４６に一時記憶されると共に、入出力装置４７を介して、ＰＯＳ７に出力される（図５：ステップＳＴ５２）。
【００４４】
図６で示すＰＯＳ７の制御では、ステップＳＴ６４でデータ入出力機４へ伝票データを出力した後、ステップＳＴ６５に進み、釣銭返却機８から伝票データを受信したか否かが判断される。
ステップＳＴ６５で、釣銭返却機８から伝票データを受信していなければ（ステップＳＴ６５がＮＯ）、ステップＳＴ６６に進み、ＰＯＳ７における制御が終了であるか否かを判断する。
釣銭返却機８から伝票データがＰＯＳ７に発信された場合には（ステップＳＴ６５がＹＥＳ）、ステップＳＴ６７に進み、釣銭データを釣銭返却機８へ出力する。出力された釣銭データは、入出力装置４７を介して、釣銭返却機８へ入力される。ＰＯＳ７から釣銭データが釣銭返却機８へ出力されると、後述するように、図５のステップＳＴ５３が「ＹＥＳ」になる。
【００４５】
図５で示す釣銭返却機８における制御では、先ず、伝票読取手段４３により給油伝票が読み込まれたか否かを判断する（図５のステップＳＴ５１）。
上述した様に、ユーザーが釣銭を現金で受け取ることを希望する場合は、釣銭返却機８の伝票読取手段４３（図２参照）に当該給油伝票を読み込ませる（図５のステップＳＴ５１がＹＥＳ）。
給油伝票が伝票読取手段４３（図２参照）に読み込まれると（図５のステップＳＴ５１がＹＥＳ）、当該給油伝票の伝票データが記憶部４６に一時記憶され、（伝票データが）ＰＯＳ７に出力される（図５：ステップＳＴ５２）。そして、ステップＳＴ５３に進む。
【００４６】
ステップＳＴ５３では、ＰＯＳ７から釣銭データが送信されたか否かを判断する。
ＰＯＳ７から釣銭データが送信されるまで、釣銭返却機８は待機する（ステップＳＴ５３がＮＯのループ）。
ＰＯＳ７からの釣銭データが釣銭返却機８へ入力されたならば（ステップＳＴ５３がＹＥＳ）、釣銭返却機８において、釣銭放出部４８からの信号を受けて、貨幣放出手段４４及び紙幣返却手段４９から釣銭（貨幣及び紙幣）が放出される（図５：ステップＳＴ５４）。
そして、釣銭返却機８における制御が終了する（図５：エンド）。
【００４７】
再び図６において、ステップＳＴ６６で、ＰＯＳ７における制御が終了しておらず、釣銭返却機８から伝票データの受信待ちの状態であれば（ステップＳＴ６６がＮＯ）、待機する（ステップＳＴ６５がＮＯで、且つ、ステップＳＴ６６がＮＯのループ）。
釣銭データが記録された給油伝票を受け取ったユーザーが、釣銭を現金で受け取ることを希望せず、そのまま伝票を保持して給油所から出ていった場合には、ステップＳＴ６６ではＰＯＳ７における制御が終了したと判断して（ステップＳＴ６６がＹＥＳ）、ＰＯＳ７における制御が終了する（図６：エンド）。
【００４８】
図６において、釣銭返却機８から伝票データがＰＯＳ７に発信された場合には（ステップＳＴ６５がＹＥＳ）、ユーザーは釣銭を現金で受け取ることを希望していると判断して、伝票データを管理し、釣銭データを釣銭返却機８へ出力する（図６：ステップＳＴ６７）。そして、ＰＯＳ７における制御が終了する（図６：エンド）。
【００４９】
以上説明したとおり、図示の実施形態によれば、釣銭の処理が簡素化され、安価で効率の良いセルフサービス給油所用の給油装置が提供できるようになる。
そして、給油伝票に釣銭金額が記録され、次回の給油の際には、厳禁による支払い金額として、給油伝票に記録された釣銭金額との差額のみとすることが出来るので、釣銭処理が容易となる。
あるいは、次回の給油の際には、給油伝票に記録された釣銭金額と、新たに挿入された紙幣の合計金額まで給油することができる。そのため、ユーザーは支払いの際の労力が軽減される。
【００５０】
また、図示の実施形態では、高価なカード読取機器等を給油所に新たに設置する必要がないため、導入のためのコストが必要最低限に抑制される。
さらに、給油時に釣銭を必要としないユーザーは、伝票のみを持参して給油所を出れば良いので、給油エリアと釣銭返却機８との動線を行き来する必要がなくなり、給油所におけるユーザーの動線が錯綜することが少なくなり、給油作業の効率化が図られる。
【００５１】
図示の実施形態はあくまでも例示であり、本発明の技術的範囲を限定する趣旨の記述ではないことを付記する。
例えば、図示の実施形態では、釣銭として、紙幣で支払い可能な金額についても、伝票中に記録するように記載されている。
しかし、釣銭の内、紙幣のみは給油エリアでユーザーに対して支払い、吊り線における貨幣で支払うべき金額のみを伝票で記録することも可能である。この場合には、図２において、給油エリア２に紙幣返却手段４９を設けて、給油エリア２内で釣銭の内の紙幣のみをユーザーに払い、事務所６内の釣銭返却機８には紙幣返却手段４９を設けない。そして、図５のステップＳＴ５４では、貨幣のみがユーザーに返却される。
【００５２】
また、図示の実施形態において、給油伝票をＰＯＳ７で読み取り、ＰＯＳ７が設置されている事務所において、事務員がユーザーに釣銭を手渡しするようにすれば、釣銭返却機８を設置する必要がなくなる。
【００５３】
さらに、図示の実施形態では、ユーザー（顧客）自身が給油するセルフサービス式の給油所の場合を説明しているが、セルフサービス式ではない給油所においても、本発明を適用することが可能である。
【００５４】
図示の実施形態では、釣銭返却機８は事務所６内に設置されているが、釣銭返却機８の設置位置は事務所６内に限定される訳ではない。換言すれば、釣銭の支払いを希望するユーザーは、事務所６内で釣銭を受け取ることが出来るし、あるいは、事務所６外に設置された釣銭返却機８から釣銭を受け取ることも出来る。
【符号の説明】
【００５５】
１・・・給油装置
２・・・給油エリア
３・・・ハウジング
４・・・データ入出力機
６・・・事務所
７・・・ＰＯＳ
８・・・釣銭返却機
１１・・・伝票読取手段
１２・・・紙幣鑑別手段
１３・・・設定手段
１４・・・設定データ表示器
１５・・・伝票発行手段
１６・・・データ入出力制御手段
１７・・・加算部
１８・・・設定データ表示器駆動部
１９、３８、４７・・・入出力装置
２０・・・釣銭データ生成部
２１・・・伝票発行駆動部
２２・・・配管
２３・・・給油ポンプ
２４・・・流量計
２５・・・制御弁
２６・・・給油ノズル
２７・・・給油ホース
２８・・・ノズル掛け
２９・・・ノズルスイッチ
３０・・・パルス発信器
３１・・・給油量表示器
３２・・・給油制御手段
３３・・・単価記憶部
３４・・・税率記憶部
３５・・・計数部
３６・・・演算部
３７・・・給油量表示器駆動部
３８・・・送受信部
３９・・・金額記憶部
４０・・・比較部
４１・・・弁開閉駆動部
４２・・・ポンプ駆動部
４３・・・伝票読取手段
４４・・・貨幣放出手段
４５・・・釣銭返却制御手段
４６・・・記憶部
４８・・・釣銭放出部
５０・・・給油機
１００・・・給油装置
【図１】
2013168100.tif 000003
【図２】
2013168100.tif 000004
【図３】
2013168100.tif 000005
【図４】
2013168100.tif 000006
【図５】
2013168100.tif 000007
【図６】
2013168100.tif 000008